(57)【要約】【課題】簡単な取り付け作業で、被締結物を強固に締結することが可能な締結具及び該締結具を用いた締結方法を提供する。【解決手段】締結具１は、締結具本体３と締結バンド５，５´を備えている。締結バンド５，５´は、フック状係合部１７，１７´を備え、且つ、複数の係止部１５，１５´を備えたバンド部１３，１３´を備えている。締結具本体３は、ロッド部７と、フランジ部９と、延長部１１を具備している。フランジ部９と延長部１１には、貫通孔１９，１９´が形成されており、貫通孔１９，１９´内には、可撓性を有する被係止部２３，２３´が設けられている。被締結物に設けられた締結用貫通孔Ｈ，Ｈ´にフック状係合部１７，１７´を通してから、ロッド部７を挿入する。次に、フック状係合部１７，１７´とフランジ部９との間に被締結物が狭持される状態になるまで、締結バンド５，５´をロッド部７からフランジ部９側に引っ張って被締結物を締結する。【選択図】  図１
2018035856.tif 000002
【特許請求の範囲】
【請求項１】
１本以上の締結バンドと締結具本体を備えた締結具であって、
前記１本以上の締結バンドは、対向する一対の側面部の一方の前記側面部側の一端にフック状係合部を備え且つ該フック状係合部から前記一方の側面部の他端側に所定の距離離れた位置に列をなして並ぶ複数の係止部を備えたバンド部とを備えており、
前記締結具本体は、ロッド部と、前記ロッド部の一端に一体に設けられて前記ロッド部が延びる方向と交差する方向に延びるフランジ部とを具備し、
前記フランジ部には、前記１以上の締結バンドの前記バンド部は通るが前記フック状係合部は通らない１以上の貫通孔が前記ロッド部が延びる方向に前記フランジ部を貫通するように形成されており、
前記１以上の貫通孔内には、前記貫通孔内に挿入された前記バンド部の前記複数の係止部が前記ロッド部側から前記フランジ部側に移動することは許容するが前記フランジ部側から前記ロッド部側に移動することを阻止するように形成された可撓性を有する被係止部が設けられており、
前記１本以上の締結バンドの前記一対の側面部の他方の側面部が前記ロッド部の外周面と接触するように、前記１本以上の締結バンドが前記締結具の前記１以上の貫通孔に挿入されることを特徴とする締結具。
【請求項２】
前記ロッド部の外周部には、前記貫通孔と連続して前記ロッド部が延びる方向に延び、前記一端の端面に開口し、且つ前記ロッド部の径方向に開口し、前記締結バンドの前記バンド部の一部が嵌合し得る１以上の嵌合溝が形成されている請求項１に記載の締結具。
【請求項３】
前記１本以上の締結バンドは２本の締結バンドであり、
前記１以上の貫通孔は２つの貫通孔であり、
前記２つの貫通孔は機械角で１８０度離れて形成されており、
前記１以上の嵌合溝は２つの嵌合溝からなる請求項２に記載の締結具。
【請求項４】
前記フランジ部と一体に設けられて前記ロッド部が位置する方向とは反対側に延びる延長部をさらに備えており、
前記１以上の貫通孔は前記延長部内を延びており、
前記被係止部は前記延長部内に延びた前記貫通孔内に位置している請求項１乃至３のいずれか１項に記載の締結具。
【請求項５】
前記延長部の外周部には、前記被係止部が設けられている位置よりも前記ロッド部が位置する側に、締結解除のために切断をする位置を示すマーキングが施されている請求項４に記載の締結具。
【請求項６】
前記フランジ部と一体に設けられて前記ロッド部が位置する方向とは反対側に延びる第１の延長部と、
前記フランジ部との間にスペースを開けて前記第１の延長部の一端に一体に設けられ、前記１以上の貫通孔の延長線上に１以上の延長貫通孔を有する第２の延長部をさらに備えており、
前記被係止部は、前記延長貫通孔内に位置しており、
前記１本以上の締結バンドは、前記１以上の貫通孔と前記１以上の延長貫通孔の間で前記スペース内に露出した状態で、前記１以上の貫通孔及び前記１以上の延長貫通孔に挿入される請求項１乃至３のいずれか１項に記載の締結具。
【請求項７】
１本以上の締結バンドと締結具本体を備え、
前記１本以上の締結バンドが、対向する一対の側面部の一方の前記側面部側の一端にフック状係合部を備え且つ該フック状係合部から前記一方の側面部の他端側に所定の距離離れた位置に列をなして並ぶ複数の係止部を備えたバンド部とを備えており、
前記締結具本体が、ロッド部と、前記ロッド部の一端に一体に設けられて前記ロッドが延びる方向と交差する方向に延びるフランジ部とを具備し、
前記フランジ部には、前記１以上の締結バンドの前記バンド部は通れるが前記フック状係合部は通れない１以上の貫通孔が前記ロッド部が延びる方向に前記フランジ部を貫通するように形成されており、
前記１以上の貫通孔内には、前記貫通孔内に挿入された前記バンド部の前記複数の係止部が前記ロッド部側から前記フランジ部側に移動することは許容するが前記フランジ部側から前記ロッド部側に移動することを阻止するように形成された可撓性を有する被係止部が設けられており、
前記１本以上の締結バンドの前記一対の側面部の他方の側面部が前記ロッド部の外周面と接触するように、前記１本以上の締結バンドが前記締結具の前記１以上の貫通孔に挿入される締結具を用意し、
前記フック状係合部または前記ロッド部単独であれば、これらの部分が貫通可能であるが、前記１本以上の締結バンドの前記一対の側面部の他方の側面部が前記ロッド部の外周面と接触した状態では、前記フック状係合部及び前記ロッド部を一緒に挿入することができない形状寸法を有する締結用貫通孔が、２つの被締結物に形成されているときに、前記２つの被締結物を２つの前記締結用貫通孔を合わせて直列貫通孔を形成するように重ね合わせ、
前記１本以上の締結バンドの前記フック状係合部を前記直列貫通孔に、その一端から挿入して、前記フック状係合部を前記直列貫通孔の他端よりも外側に位置させ、
次に前記締結具本体の前記ロッド部を前記直列貫通孔内に前記一端から挿入し、
次に前記１本以上の締結バンドの前記フック状係合部と前記締結部本体の前記フランジ部との間に前記２つの被締結物が挟持される状態になるまで、前記１本以上の締結バンドを前記ロッド部側から前記フランジ部側に引っ張ることを特徴とする締結方法。
【請求項８】
前記ロッド部の外周部には、前記貫通孔と連続して前記ロッド部が延びる方向に延び、前記一端の端面に開口し、且つ前記ロッド部の径方向に開口し、前記１本以上の締結バンドの前記バンド部の一部が嵌合し得る１以上の嵌合溝が形成されており、
前記１以上の嵌合溝に前記１本以上の締結バンドの前記バンド部の前記一部を嵌合した状態になるように、前記ロッドを前記直列貫通孔に挿入する請求項７に記載の締結方法。
【請求項９】
前記１本以上の締結バンドは２本の締結バンドであり、
前記１以上の貫通孔は２つの貫通孔であり、
前記２つの貫通孔は機械角で１８０度離れて形成されており、
前記１以上の嵌合溝は２つの嵌合溝からなる請求項８に記載の締結方法。
【請求項１０】
請求項７乃至９に記載の締結方法により締結された締結状態を解除する方法であって、
前記締結具として、
前記フランジ部と一体に設けられて前記ロッドが位置する方向とは反対側に延びる延長部をさらに備えており、
前記１以上の貫通孔は前記延長部内を延びており、
前記被係止部は前記延長部内に延びた前記貫通孔内に位置しており、
前記延長部の外周部には、前記被係止部が設けられている位置よりも前記ロッド部が位置する側に、締結解除のために切断をする位置を示すマーキングが施されたものを用い、
締結を解除する際には、前記マーキングが施された位置において、前記延長部を切断することを特徴とする締結解除方法。
【請求項１１】
請求項７乃至９に記載の締結方法により締結された締結状態を解除する方法であって、
前記締結具として、
前記フランジ部と一体に設けられて前記ロッド部が位置する方向とは反対側に延びる第１の延長部と、
前記フランジ部との間にスペースを開けて前記第１の延長部の一端に一体に設けられ、前記１以上の貫通孔の延長線上に１以上の延長貫通孔を有する第２の延長部をさらに備えており、
前記被係止部は、前記延長貫通孔内に位置しており、
前記１本以上の締結バンドは、前記１以上の貫通孔と前記１以上の延長貫通孔の間で前記スペース内に露出した状態で、前記１以上の貫通孔及び前記１以上の延長貫通孔に挿入されたものを用い、
締結を解除する際には、前記１本以上の締結バンドの前記スペース内に位置する部分を切断することを特徴とする締結解除方法。
【発明の詳細な説明】
【技術分野】
【０００１】
本発明は、複数の被締結物を締結して、相互に固定するために用いる締結具、該締結具を用いた締結方法、及び、締結解除方法に関するものである。
【背景技術】
【０００２】
従来、舞台の背景等に使用する大型のパネル等の被締結物同士を相互に固定するためには、複数の被締結物に形成された締結用貫通孔を併せて直列貫通孔を形成してから、ネジや、ボルトとナットを用いて被締結物同士を固定していた。この場合、被締結物の一方の側から被締結物を押す方向に力を加えて作業を行う必要があり、被締結物の他方の側が支持されていない状況では作業が困難であるという問題があった。また、特に、ボルトとナットを用いる場合には、被締結物の他方の側にナットを支持しておきながら、ボルトを締結する必要があり、被締結物の他方の側に十分なスペースが存在しないと、作業が困難であるという問題があった。そこで、締結具として、被締結物の一方の側から、引っ張る方向に力を加えて作業を行うことが可能な締結具が提案されている（例えば、実開平５−６２７０９号公報（特許文献１）、特開２００６−９０４８５号公報（特許文献２））。
【先行技術文献】
【特許文献】
【０００３】
【特許文献１】実開平５−６２７０９号公報
【特許文献２】特開２００６−９０４８５号公報
【発明の概要】
【発明が解決しようとする課題】
【０００４】
しかしながら、実開平５−６２７０９号公報（特許文献１）や特開２００６−９０４８５号公報（特許文献２）に記載の締結具は、締結作業を行う側の反対側に現れる係止部が、引っ張り力によって折り畳まれる、パンタグラフ構造をしている。このようなパンタグラフ構造は、一体成形で製造しようとすると、折れ曲がる部分を肉薄に形成する必要があり、強度が低くなる。強度を高くするため、折れ曲がる部分にヒンジ構造を使用した場合には、製造コスト・部品コストが上がってしまう。また、直列貫通孔に挿入する際には、径を被締結物に形成された直列貫通孔よりも小さくして、貫通させてからパンタグラフ構造を広げるようになっているため、取り付け作業を行う側の反対側に現れる係止部を小さくすることが困難である。さらに、被締結物に形成された直列貫通孔の径、長さに応じて、専用の設計をしなければならないという問題もある。
【０００５】
本発明の目的は、低コストで製造することが可能でありながら、十分な強度を有する締結具を提供することである。
【０００６】
本発明の他の目的は、異なる貫通孔の径や長さに応じて、共通の部品を使い回すことが可能な締結具を提供することである。
【０００７】
本発明のさらに他の目的は、簡単な取り付け作業で、被締結物を強固に締結することが可能な締結具及び該締結具を用いた締結方法を提供することである。
【０００８】
本発明のさらに他の目的は、取り付け作業を行う側の反対側に現れる係止部の大きさを容易に変更可能な締結具を提供することである。
【０００９】
本発明のさらに他の目的は、簡単な作業で締結を解除することが可能な締結具及び該締結具の締結解除方法を提供することである。
【課題を解決するための手段】
【００１０】
本発明の締結具は、１本以上の締結バンドと締結具本体を備えている。１本以上の締結バンドは、対向する一対の側面部の一方の側面部側の一端にフック状係合部を備え且つ該フック状係合部から一方の側面部の他端側に所定の距離離れた位置に列をなして並ぶ複数の係止部を備えたバンド部とを備えている。締結具本体は、ロッド部と、ロッド部の一端に一体に設けられてロッド部が延びる方向と交差する方向に延びるフランジ部とを具備している。フランジ部には、１以上の締結バンドのバンド部は通るがフック状係合部は通らない１以上の貫通孔がロッド部が延びる方向にフランジ部を貫通するように形成されており、１以上の貫通孔内には、貫通孔内に挿入されたバンド部の複数の係止部がロッド部側からフランジ部側に移動することは許容するがフランジ部側からロッド部側に移動することを阻止するように形成された可撓性を有する被係止部が設けられており、１本以上の締結バンドの一対の側面部の他方の側面部がロッド部の外周面と接触するように、１本以上の締結バンドが締結具の１以上の貫通孔に挿入される。
【００１１】
上記の通り、締結具本体は、可撓性を有する被係止部以外には変形する部分が存在しないため、締結具本体を一体成形で作成しても、締結具の強度を高くすることができる。また、本発明の締結具は複数の部品から構成されているため、例えば、ロッド部の径の異なる複数種類の締結具本体に対して、共通の締結バンドを使用したり、フック状係合部の大きさの異なる締結バンドに対して、共通の締結具本体を使用したりすることが可能となり、被締結物に形成された異なる直列貫通孔の径や長さに柔軟に対応することができる。
【００１２】
本発明の締結具を用いて、２つの被締結物を締結する際は、次の手順で行う。すなわち、フック状係合部またはロッド部単独であれば、これらの部分が貫通可能であるが、１本以上の締結バンドの一対の側面部の他方の側面部がロッド部の外周面と接触した状態では、フック状係合部及びロッド部を一緒に挿入することができない形状寸法を有する締結用貫通孔が、２つの被締結物に形成されているときに、２つの被締結物を２つの締結用貫通孔を合わせて直列貫通孔を形成するように重ね合わせ、１本以上の締結バンドのフック状係合部を直列貫通孔に、その一端から挿入して、フック状係合部を直列貫通孔の他端よりも外側に位置させ、次に締結具本体のロッド部を直列貫通孔内に一端から挿入し、次に１本以上の締結バンドのフック状係合部と締結部本体のフランジ部との間に２つの被締結物が挟持される状態になるまで、１本以上の締結バンドをロッド部側からフランジ部側に引っ張る。このように本発明の締結具を用いることで、簡易な方法で２つの被締結物同士を相互に固定することができる。また、取り付け作業を行う側の反対側には、主にバンド部のフック状係合部が現れるため、フック状係合部の大きさを変更することで、取り付け作業を行う側の反対側に現れる部材の大きさの調整が容易である。
【００１３】
ロッド部の外周部には、貫通孔と連続してロッド部が延びる方向に延び、一端の端面に開口し、且つロッド部の径方向に開口し、締結バンドのバンド部の一部が嵌合し得る１以上の嵌合溝が形成されていてもよい。この場合には、１以上の嵌合溝に１本以上の締結バンドのバンド部の一部を嵌合した状態になるように、ロッドを直列貫通孔に挿入することが可能となり、締結バンドの位置調整が容易となる。
【００１４】
締結バンドの本数は任意であるが、締結バンドが２本であれば、締結作業を簡易にし、且つ、適切に被締結物を締結することが可能である。この場合には、１以上の貫通孔は２つの貫通孔であり、２つの貫通孔は機械角で１８０度離れて形成されており、１以上の嵌合溝は２つの嵌合溝とすればよい。
【００１５】
被係止部の配置位置は任意である。例えば、フランジ部と一体に設けられてロッド部が位置する方向とは反対側に延びる延長部をさらに備えており、１以上の貫通孔が延長部内を延びており、被係止部が延長部内に延びた貫通孔内に位置していてもよい。このような位置に被係止部を配置すれば、被係止部が設けられている位置よりもロッド部が位置する側を切断することにより、締結状態を解除することが可能となる。締結解除方法をわかりやすくするため、延長部の外周部に、被係止部が設けられている位置よりもロッド部が位置する側に、締結解除のために切断をする位置を示すマーキングを施しておいてもよい。締結を解除する際には、マーキングが施された位置において、延長部を切断すれば、簡易な方法により、締結状態を解除することができる。
【００１６】
また、フランジ部と一体に設けられてロッド部が位置する方向とは反対側に延びる第１の延長部と、フランジ部との間にスペースを開けて第１の延長部の一端に一体に設けられ、１以上の貫通孔の延長線上に１以上の延長貫通孔を有する第２の延長部をさらに備えていてもよい。この場合、被係止部は、延長貫通孔内に位置しており、１本以上の締結バンドは、１以上の貫通孔と１以上の延長貫通孔の間でスペース内に露出した状態で、１以上の貫通孔及び１以上の延長貫通孔に挿入されるようにしてもよい。このように第１の延長部と第２の延長部を構成し、被係止部を配置すれば、１本以上の締結バンドの１以上の貫通孔と１以上の延長貫通孔の間でスペース内に露出した部分を切断することにより、容易に締結状態を解除することが可能となる。なお、この場合には、１本以上の締結バンドのみを切断して締結状態を解除することができるため、締結具本体を繰り返し使用することができるという利点がある。
【図面の簡単な説明】
【００１７】
【図１】第１の形態の締結具を示す斜視図である。
【図２】第１の形態の締結具を構成する締結具本体を示す図であり、（Ａ）は、正面図、（Ｂ）は、平面図、（Ｃ）は、底面図、（Ｄ）は、右側面図、（Ｅ）は、Ｅ−Ｅ線断面図である。
【図３】第１の形態の締結具を構成する締結バンドを示す図であり、（Ａ）は、正面図、（Ｂ）は、底面図である。
【図４】被締結物前に締結具を用意した状態を示す図である。
【図５】被締結物に設けられた締結用貫通孔に締結バンドを通し、且つ、ロッド部を通した状態を示す図であり、（Ａ）は、斜視図、（Ｂ）は平面図である。
【図６】図５に示した状態の後、締結バンドをロッド部側からフランジ部側に引っ張り、被締結物を締結した状態を示す図であり、（Ａ）は、斜視図、（Ｂ）は平面図である。
【図７】第２の形態の締結具を示す斜視図である。
【図８】第２の実施の形態の締結具を構成する締結具本体を示す図であり、（Ａ）は、正面図、（Ｂ）は、平面図、（Ｃ）は、底面図、（Ｄ）は、右側面図、（Ｅ）は、Ｅ−Ｅ線断面図である。
【発明を実施するための形態】
【００１８】
以下、図面を参照して、本発明の締結具、該締結具を用いた締結方法、及び、締結解除方法の実施の形態を詳細に説明する。
【００１９】
＜第１の実施の形態＞
［締結具の構成］
図１は、第１の形態の締結具を示す斜視図であり、図２（Ａ）乃至（Ｅ）は、本実施の形態の締結具を構成する締結具本体の正面図、平面図、底面図、右側面図、Ｅ−Ｅ線断面図であり、図３（Ａ）及び（Ｂ）は、本実施の形態の締結具を構成する締結バンドの正面図及び底面図である。
【００２０】
締結具１は、それぞれプラスチックにより形成された締結具本体３と、２本の締結バンド５，５´とから構成されている。締結具本体３は、ロッド部７と、ロッド部７の一端に一体に設けられてロッド部７が延びる方向と交差する方向に延びるフランジ部９と、フランジ部９と一体に設けられてロッド部７が位置する方向とは反対側に延びる延長部１１とから構成されている。
【００２１】
締結バンド５は、バンド部１３を備えている。バンド部１３の一方の側面部の表面には、列をなして並ぶ複数の係止部１５が形成されており、一端には、フック状係合部１７が備えられている。本実施の形態では、締結バンド５として、複数の電線を結束するために用いる結束バンドを利用している。なお、締結バンド５´は、締結バンド５と同じ構成であるため、「´」の符号を付して、説明は省略する。
【００２２】
締結具１のフランジ部９及び延長部１１には、締結バンド５，５´のバンド部１３，１３´は通るが、フック状係合部１７，１７´は通らない２つの貫通孔１９，１９´がロッド部７が延びる方向にフランジ部９及び延長部１１を貫通するように形成されている。貫通孔１９，１９´は、ロッド部７の周囲に機械角で１８０度離れて形成されている。ロッド部７の外周部には、貫通孔１９，１９´と連続してロッド部７が延びる方向に延び、一端の端面に開口し、且つロッド部７の径方向に開口し、締結バンド５，５´のバンド部１３，１３´の一部が嵌合し得る２つの嵌合溝２１，２１´が形成されている。貫通孔１９，１９´内には、貫通孔１９，１９´内に挿入されたバンド部１３，１３´の複数の係止部１５，１５´がロッド部７側からフランジ部９側に移動することは許容するが、フランジ部９側からロッド部７側に移動することを阻止するように形成された可撓性を有する被係止部２３，２３´が設けられている。締結バンド５，５´は、他方の側面部がロッド部７の外周面と接触するように、貫通孔１９，１９´に挿入される。
【００２３】
締結具本体３の延長部１１の外周部には、被係止部２３，２３´が設けられている位置よりもロッド部７が位置する側にマーキング２４が施されている。
【００２４】
［締結作業及び締結解除作業］
図４乃至図６を用いて、本実施の形態の締結具１によって被締結物である２枚のパネルＰ，Ｐ´を締結する手順を説明する。
【００２５】
パネルＰ，Ｐ´には、予め、フック状係合部１７，１７´またはロッド部７単独であれば、これらの部分が貫通可能であるが、締結バンド５，５´の一対の側面部の他方の側面部がロッド部７の外周面と接触した状態では、フック状係合部１７，１７´及びロッド部７を一緒に挿入することができない形状寸法を有する締結用貫通孔Ｈ，Ｈ´が形成されている。
【００２６】
まず、図４に示すように、締結用貫通孔Ｈ，Ｈ´を合わせてパネルＰ，Ｐ´を重ね合わせて、直列貫通孔を形成しておく。また、締結具１は、締結具本体３の貫通孔１９，１９´に締結バンド５，５´をその途中まで通した状態で用意しておく。
【００２７】
次に、図５（Ａ）及び（Ｂ）に示すように、直列貫通孔にフック状係合部１７，１７´をそれぞれ１本ずつ通して、パネルＰ，Ｐ´の反対側に位置させ、さらに、ロッド部７を直列貫通孔内に挿入する。
【００２８】
最後に、図６（Ａ）及び（Ｂ）に示すように、締結バンド５，５´のフック状係合部１７，１７´と締結部本体のフランジ部９との間にパネルＰ，Ｐ´が狭持される状態になるまで、締結バンド５，５´をロッド部７側からフランジ部９側に引っ張る。このようにして、締結具１を用いて、被締結物の一方の側から、引っ張る方向に力を加えて、２枚のパネルＰ，Ｐ´を締結できる。
【００２９】
なお、１つの締結具１のみで締結した状態では、パネルＰとパネルＰ´は締結用貫通孔Ｈ，Ｈ´を軸にして回転可能な状態であるため、所望の締結状態を得るため、同様にして、他の締結用貫通孔も締結具１で固定することになる。
【００３０】
被締結物の締結を解除する場合には、マーキング２４の位置で、延長部１１を切断すればよい。マーキング２４の位置で切断することで、被係止部２３，２３´が締結具本体３から切り離され、且つ、締結バンド５，５´が切断され、被締結物の締結が解除される。
【００３１】
＜第２の実施の形態＞
図７は、第２の形態の締結具を示す斜視図であり、図８（Ａ）乃至（Ｅ）は、第２の実施の形態の締結具を構成する締結具本体の正面図、平面図、底面図、右側面図、Ｅ−Ｅ線断面図である。図７及び図８には、図１乃至６に示した実施の形態と同じ部材には、図１乃至図６に付した符号の数に１００の数を加えた数の符号を付して説明を省略する。
【００３２】
第２の実施の形態の締結具１０１を構成する締結具本体１０３は、主に、第１の実施の形態と、締結具本体の延長部の構成が異なる。締結具本体１０３は、フランジ部１０９と一体に設けられてロッド部１０７が位置する方向とは反対側に延びる第１の延長部１２５と、フランジ部１０９との間にスペースＳをあけて第１の延長部１２５の一端に一体に設けられた第２の延長部１２７をさらに備えている。第２の延長部１２７には、貫通孔１１９，１１９´の延長線上に延長貫通孔１２９，１２９´が設けられている。被係止部１２３，１２３´は、延長貫通孔１２９，１２９´内に位置にしている。図７に示すように、締結バンド１０５，１０５´は、貫通孔１１９，１１９´と延長貫通孔１２９，１２９´の間でスペースＳ内に露出した状態で貫通孔１１９，１１９´及び延長貫通孔１２９，１２９´に挿入されている。
【００３３】
締結作業は、第１の実施の形態の締結具と同様であるが、締結解除作業が異なる。被締結物の締結を解除する場合には、締結バンド１０５，１０５´の貫通孔１１９，１１９´と延長貫通孔１２９，１２９´の間でスペースＳ内に露出した部分を切断すればよい。このようにすれば、締結バンド１０５，１０５´のみを切断して締結状態を解除することができるため、締結具本体１０３を繰り返し使用することができる。
【００３４】
以上、本発明の実施の形態について具体的に説明したが、本発明はこれらの実施の形態に限定されるものではなく、本発明の技術的思想の範囲内で変更が可能であるのは勿論である。
【００３５】
例えば、締結バンドの本数は１以上であればよいため、１本でもよく、３本以上（ｎ本）の締結バンドを使用するように締結具本体を構成してもよい。３本以上（ｎ本）の場合には、機械角で３６０／ｎ度離れてｎ個の貫通孔を形成すればよい。
【産業上の利用可能性】
【００３６】
本発明によれば、異なる貫通孔の径や長さに応じて、共通の部品を使い回すことが可能な締結具を提供することができる。また、簡単な取り付け作業で、強固に被締結物を締結することが可能な締結具及び該締結具を用いた締結方法を提供することができる。また、取り付け作業を行う側の反対側に現れる係止部の大きさを容易に変更可能な締結具を提供することができる。さらに、簡単な作業で締結を解除することが可能な締結具及び該締結具の締結解除方法を提供することができる。
【符号の説明】
【００３７】
１  締結具
３  締結具本体
５，５´  締結バンド
７  ロッド部
９  フランジ部
１１  延長部
１３，１３´  バンド部
１５，１５´  係止部
１７，１７´  フック状係合部
１９，１９´  貫通孔
２１，２１´  嵌合溝
２３，２３´  被係止部
２４  マーキング
【図１】
2018035856.tif 000003
【図２】
2018035856.tif 000004
【図３】
2018035856.tif 000005
【図４】
2018035856.tif 000006
【図５】
2018035856.tif 000007
【図６】
2018035856.tif 000008
【図７】
2018035856.tif 000009
【図８】
2018035856.tif 000010